(57)【特許請求の範囲】
【請求項１】
対称な８の字形状のバラン（平衡−不平衡）部品であって、
第１および第２の目（Ａ，Ｂ）を備え、
各目は、巻線を形成する導電トラック（１０，１１）を備え、
前記目（Ａ，Ｂ）は等しい数の一次巻線（１１）を備え、
その一次巻線において、動作中、電流が前記第１の目では第２の方向に、且つ、前記第２の目では第１の方向に流れ、その一次巻線は第１の端子（２２）から第２の端子（２１）への第１の導電経路を形成していて、
前記目（Ａ，Ｂ）は、さらに、等しい数の二次巻線（１０）を備え、
その二次巻線において、動作中、電流が前記第１の目では第１の方向に、且つ、前記第２の目では第２の方向に流れ、その二次巻線は第３の端子（１６）から第４の端子（１９）への第２の導電経路を形成していて、
前記一次および二次巻線の幾何学的および電気的中間点（１３）は、全て重ねられ、且つ、さらに前記バランにおける同一面に置かれていて、
当該バランは、前記導電トラック（１０，１１）とは別の金属層（１５，１８）を用いて第３の端子（１６）および第４の端子（１９）に接続される平衡内部端子（１７，２０）を備え、
前記平衡内部端子（１７，２０）は、前記第２の導電経路上にあって、前記金属層（１５，１８）と前記二次巻線（１０）とを接続し、
その金属層（１５，１８）は前記バランの一次巻線（１１）および二次巻線（１０）のレイアウトを横切り、それにより実質的に等しい容量性負荷を、それぞれ前記一次および二次巻線（１０，１１）に、且つ、それぞれ左及び右の巻線（Ａ，Ｂ）に提供する、対称な８の字形状のバラン。
【請求項２】
前記一次および二次巻線間の磁気結合は、前記バランの前記左及び右の巻線（Ａ，Ｂ）に関して等しい値を有している、請求項１に記載の対称な８の字形状のバラン。
【請求項３】
請求項１または２に記載の対称な８の字形状のバランを備える電子機器。
【発明の詳細な説明】
【技術分野】
【０００１】
本発明は、平衡−不平衡（バラン（ＢＡＬＵＮ））部品に関する。バランの様な集積部品は、無線周波数の回路で絶対的に必要ではないにせよ、現実の要求になっている。
【０００２】
バラン（平衡−不平衡（BALanced-to-UNbalanced））部品は、無線周波数の回路で頻繁に用いられて、インピーダンス変換、及び、差動信号からシングルエンド信号への変換又は逆も同様を主に確実にする。図１及び２は、例えば、それぞれ、受信機および送信機の経路を経由したバランを用いたブロックダイアグラムを示す。
【背景技術】
【０００３】
バランは、平衡線（逆方向の等しい電流を有する２つの導電体を有する、ツイストペアケーブルのようなもの）を、不平衡線（１つのみの導電体とグランドを有する、同軸ケーブルのようなもの）に接続するデバイスである。バランは、変圧器（トランス）の一種である。それは、不平衡信号を平衡信号に、又は逆も同様に、変換するのに用いられる。バランは、伝送線路を絶縁し、そして、平衡出力を提供する。バランの典型的な使用は、テレビアンテナである。その用語は、平衡（balanced）と不平衡（unbalanced）を組み合わせることに由来する。
【０００４】
バランでは、一方の端子の組は平衡にされていて、即ち、電流は等しい大きさで逆の位相である。他方の端子の組は、不平衡にされていて、片側は電気的グランドに接続され、且つ、他方は信号を伝える。バラン変圧器は、無線または有線通信システムの様々な部分の間で用いられ得る。
【０００５】
図１において、バランは低雑音増幅器（ＬＮＡ）の後に用いられて、ミキサーの入力にて、シングルエンドの受信信号を差動に変換する。
【０００６】
図２において、バランは最終増幅段の後に用いられて、出力マッチング回路を介してアンテナに接続される前に、出力差動信号をシングルエンドに変換する。
【０００７】
受信機の場合、いくつかの問題が起こる。ミキサーの前に且つほとんど受信機チェーンの最初に、自然に置かれたバランは、結合した磁界及び干渉に高い感度レベルを示し、このことは、全体の受信機の性能に著しく影響を及ぼし得る。放射された磁界及び干渉に対して低い感度のバランの必要性が極めて重要になっている。
【０００８】
さらに、ミキサーに示される出力の差動インピーダンスは、ミキサーの遇数次高調波除去に影響を及ぼすであろうと共に遇数次高調波歪みを生成し得るミスマッチ（不一致）を避けなければならない。
【０００９】
また、高い挿入損失は入力ノイズフィギュア（noise Figure）に直接的に影響を及ぼし得るため、バランの挿入損失に注意が払われなければならない。
【００１０】
送信機の場合、いくつかの問題が起こる。高パワーの信号を伝えるバランは、従って、非常に高いノイズの放射源になる。低磁界放射構造の必要性が存在する。
【００１１】
さらに、コモンモード信号とノイズがシングルエンド出力に変換され得ることは、避けられるべきである。
【００１２】
また、電力を節約するために低挿入損失が必要とされる。
【００１３】
従って、このような部品は、通信デバイスに一般に用いられ、インピーダンス変換、及び、シングルエンド−差動変換又は逆も同様、を達成する。しかし、多数の従来技術の部品は、低磁界放射および結合した干渉への低感度を確保しない。さらに、コンパクトな空間面積のバランを実現するのに相互結合が役立つ部品は提供されない。提案された構造は、上述されたものの様に、多数の他の欠点および問題を正さない。典型的に、従来技術のバランは、さらに、挿入損失特性を著しく増加して、且つ、コモンモードの注入されたノイズを被る。
【００１４】
さらに、バランが低磁界放射および結合した干渉への低感度を有することは重要である。
【００１５】
ＵＳ５，４７７，２０４は、図３に示されるバランを表している。この開示は、最も近い従来技術と見なされる。
【００１６】
実際、上記開示（図３Ａ及び３Ｂ）におけるレイアウトと電気回路図を一致させるために、１０７の接続は、破線の長方形が追加された下側に移されなければならず、そのようにして、図３Ｂが示すように、それが１０４に直列に接続される。実際、それが図３Ａに描かれるように、１０７は、１０４の代わりに、１１２に直列に接続されていて、且つ、１１２は、バランのシングルエンド入力であり、そのことは意味をなすように思えない。
【００１７】
この構造の主な問題は、一次および二次ループ間の結合および磁気伝達にある。一次（１１６−１２０）および二次（１１８−１２２）を成すワイヤの長さは、その特許が言及しているように、十分に等しい。しかし、その構造に起因して、左側で、一次（白で経路が示されている）は、二次（破線で経路が示されている）より長く且つ多くの巻線を有していて、且つ、右側で、短く且つ少ない巻線を有している。このことは、以下の欠点をもたらす。
【００１８】
さらに、一次および二次の実際の幾何学的な中間点は、互いに近くに位置されていない。実際は、このことは、一次から二次ループへの伝達をもたらす。
【００１９】
一次は二次より左側で多くの巻線を有し、且つ、右側で少ないので、結論は、二次において誘導により生成された電流が右のループ（ｉ２）より左のループ（ｉ１）で大きいであろう（図３Ｃ参照）ということである。このことは、重大な欠点である。
【００２０】
さらに、出力電流（１０４，１１０）及び出力インピーダンスは、もはや十分に差動ではなく、そして、ミスマッチが生成される。
【００２１】
次の欠点は、誘導電流（ｉ１−ｉ２）の一部がグランドビア１０７に流れ、そして、この電流は無駄な電力と見なされるため、それは挿入損失を悪化させるであろう、ということである。
【００２２】
交差結合係数（crossed coupling coefficients）は、これらの結論を何も変化させない、ということに留意されたい。というのも、それらは等しい寄与を加え得るためである。従って、上述の不利な点は、存在したままである。
【００２３】
ここで、もし我々がこのバランを差動−シングルエンド変換器として考えると、我々は同じ不利な点、即ち、入力インピーダンスは十分に差動ではない、１０７を通る電流の伝導による劣化した挿入損失がある、を見出すであろう。
【００２４】
さらに、この場合、他の欠点が言及され得る。それは、平衡側の入力（１０４，１１０）に注入された任意のコモンモードノイズ又は信号の、悪い除去率である。それは、一次及び二次ループ間の結合に起因した、不平衡側（１１２，１１４）での望ましくない出力電流をもたらすであろう。
【００２５】
従って、ＵＳ５，４７７，２０４に開示されたバランは、未だ多数の不利な点を有している。いくつかの他のバランは、従来技術から知られている。
【００２６】
ＵＳ６６８３５１０  Ａ１（Ｄ１）は、電気的に絶縁性または半絶縁性の、平面構造を定義する基板上に形成された、２組の平面の交互配置されたスパイラルコイルを用いた結合伝送線路バラン構造を開示している。各組の１つのコイルは直列に接続されて、バランの入力伝送線路を定義し、その伝送線路の一端は開回路である。バランは、ＭＭＩＣデバイスにとって興味がある周波数において、超広帯域幅特性を提供し、ＭＭＩＣデバイスの製造に用いられる同じ技術を用いて製造され、且つ、それ自体をＭＭＩＣデバイス内に適用するのに役立つ物理的な大きさである。バランは、その中心線について対称である。第１及び第２のループは、右及び左側において、同じ長さ及び数の巻線を有する。
【００２７】
しかし、ＵＳ６６８３５１０  Ａ１は、バランは８の字形状であると共に幾何学的および電気的中間点が重ねられ且つ同一面にあることを、記述していない。これらの特長は知られていない。
【００２８】
ＵＳ７１９９６８２  Ｂ１（Ｄ２）は、電気的に直列な２つの一次巻線で形成された第１の導電線を有し、そして、その長さはトランスの中心動作周波数の関数であり、電気的に直列な２つの二次巻線で形成されて、２つずつ一次巻線と結合した、第２の導電線を有し、その長さは上記中心周波数の関数である、モード・スイッチングトランスを開示している。導電線は、トランスの求められるインピーダンス比に応じて選択される異なる幅を示す。
【００２９】
ＵＳ２００６０９７８２０  Ａ１（Ｄ３）は、層数を増加させること及びその機能を低下させること無く容易にプリント回路基板に組み込まれ得る、プリント回路基板内蔵型の平面バランを開示している。平衡信号伝送線路１と不平衡信号伝送線路２は、側面が互いに対向して、同一面に形成されている。誘電体層３は、これらの伝送線路間、及び、伝送線路と、線路１及び線路２に実質的に平行に配置されると共に所定の距離の間隔を空けられたグランド電位層４と、の間に備えられている。
【００３０】
ＵＳ６６５３９１０  Ｂ１（Ｄ４）は、基板を備え、その基板はその上に形成された第１、第２、第３および第４の伝送線路を有する、一体的に集積可能なスパイラルバランを開示している。第１の伝送線路は、入力信号を受け取るように結合された第１の端部と、第２の端部とを有している。第１の伝送線路は、それの第１の端部からそれの第２の端部へ第１の方向に巻く螺旋を形成している。第２の伝送線路は、第１の端部と、第１の伝送線路の第２の端部に電気的に結合された第２の端部と、を有している。第２の伝送線路は、それの第１の端部からそれの第２の端部へ第２の方向に巻く第２の螺旋を形成している。第３の伝送線路は、第１の出力を提供する第１の端部と、第１の電位に結合する第２の端部と、を有している。第３の伝送線路は、第１の螺旋を交互配置すると共に、それの第１の端部からそれの第２の端部へ第２の方向に巻く、第３の螺旋を形成している。第４の伝送線路は、第２の出力を提供する第１の端部と、第２の電位に結合する第２の端部と、を有している。第４の伝送線路は、第２の伝送線路を交互配置すると共に、それの第１の端部からそれの第２の端部へ第１の方向に巻く、第４の螺旋を形成している。
【００３１】
ＥＰ１４２４７７０  Ｂ１（Ｄ５）は、局部発振器のリークを緩和する広帯域ミキサーを開示している。ＬＯ信号は、１８０度互いに位相がずれた第１の中間ＬＯ信号と第２の中間ＬＯ信号とを提供する１８０度スプリッターに提供される。両方の第１及び第２の中間ＬＯ信号は１８０度位相がずれているので、１８０度位相がずれたＬＯトーンの同相の組み合わせが互いに相殺し、且つ、強いＬＯ／ＲＦ除去を提供することにより、基本波のＬＯリークは、ＲＦポートにて緩和される。ＲＦ又はマイクロ波入力信号は、パワースプリッターに提供され、第１の中間ＲＦ信号と、第２の中間ＲＦ信号とを提供する。第１の中間ＬＯ信号は第１の中間ＲＦ信号と混合され、且つ、第２の中間ＬＯ信号は第２の中間ＲＦ信号と混合されて、ミキサーの出力にて中間周波数信号を提供する。
【００３２】
ＵＳ５８１８３０８  Ａ１（Ｄ６）は、互いに線路長が等しくされた複数の結合線路を有して、出力信号間の位相差を求められた範囲内に設定する、結合線路要素を開示している。結合線路は、巻かれて螺旋部を形成する。延長部は、螺旋部の内部の巻線を形成している１つ以上の結合線路の端部に連続的に形成される。この結合線路の線路長は、その結果、螺旋部の最外部の巻線を形成している結合線路のそれに等しくされている。また、結合線路は、逆方向に巻かれた２つの螺旋部に形成され得る。
【００３３】
ＵＳ２００６０８７３８３  Ａ１（Ｄ７）は、１組の金属コイル構造と、バランの動作周波数に応じて選択された厚さを有する、間に入っている誘電体層と、を含むバランを開示している。誘電体層の厚さは、バランを調整すると共に、その動作周波数におけるその自己インダクタンスを改善するのに用いられ得る。さらに、１組の金属コイル構造を有する、非対称に形成されたバランは、その出力信号における振幅誤差を最小化するように選択される。本教示によるバランは、その出力端子の配置における非対称性も含み得る。バランの出力端子の配置は、その出力信号における位相誤差を最小化するように調整され得る。
【００３４】
要約すれば、Ｄ２−Ｄ５は、対称のバランを開示している。Ｄ６は、側面は対称であることを言及しているが、図面はループの長さに関して非対称を示している。Ｄ７は非対称のバランを開示している。
【００３５】
さらに、Ｄ１、Ｄ３−Ｄ５、及び、Ｄ７は、いわゆる“非８の字（anti-8）”構造を開示して、そして更に、Ｄ５は図５及び６で、バランよりむしろコンバイナー／スプリッターの設計を提案している。
【００３６】
非８の字形状の構造は、右及び左のループで、同じ方向に流れる電流を有している。このことは、加算され得る、同じ方向の外部の非近接磁界を生成し、且つ、従って、このようなデバイスの放射および結合特性を増加させる。各ループの内側で内部場が逆方向であるので、相互結合も減少するであろう。従って、“非８の字形状”の構造は、主に結合およびインダクタンス値に関して、全体的に劣った性能を示す。
【００３７】
ＵＳ６，０９７，２７３及びＵＳ６，３９６，３６２も、非８の字形状の構造の原理に基づいたバランを開示している。電流は、内部場を増加して外部のものを削減する代わりに、得られる磁界が巻線の内側では互いに減少すると共に外部場では増加する傾向があるように、流れ、且つ、そのことは、挿入損失のレベル及び磁気伝達効率に関する直接の悪化した結果を有する。
【００３８】
上記開示が有する問題は、低磁界放射および結合した干渉への低感度を有するバランは提供されないことである。
【００３９】
従って、従来技術のバランは、上記問題または欠点の１つ以上がある。従って、さらに最適化されたバランを提供することにより、上記問題の１つ以上を解決し、且つ／又は、欠点の１つ以上を克服する必要性が、まだある。
【００４０】
従って、本発明は、挿入損失のような上述の問題の１つ以上を解決することを目的とする。
【発明の概要】
【００４１】
本発明は、他のものとの間で低磁界放射および結合した干渉への低感度を確保する、コンパクトな空き領域にバランを実現することに役立つ相互結合を有する、新規の対称な８の字形状のバラン（symmetrical eight-shaped balun）と共に、そのバランを備える装置を提示する。さらに、提案した構造は、上述したような従来技術の多数の欠点および問題を修正する。それは、高度に対称の磁気伝達および平衡側の高度に差動のインピーダンスを特徴付ける。それは、挿入損失特性を大幅に最小化して、且つ、コモンモードの注入されたノイズへの高い耐性を確保する。
【００４２】
本発明によるバラン構造は、これら及び上述の問題の全て又は大部分を、次の段落に詳細に示されるように、克服および修正できる。
【００４３】
本８の字形状の構造において、電流は右と左のループに関して反対方向に流れる。このことは、互いにキャンセルする逆方向の外部の非近接の磁界（external magnetic far-fields）を生成することであり、その上、内部の磁界は同一方向にあるので、ループ間の相互インダクタンスを増加させる。
【図面の簡単な説明】
【００４４】
【図１】ＬＮＡとミキサーとの間のバランの使用を示している受信機の経路。
【図２】最終増幅段と出力マッチングネットワークとの間に配置されたバランを有する送信機の経路。
【図３Ａ】従来技術のバラン（ＵＳ５４７７２０４から）。
【図３Ｂ】従来技術（図３Ａ）に関連する電気回路図。
【図３Ｃ】図示された一次及び二次電流を含む、図３Ａに関連する電気回路図。
【図４Ａ】提案された発明のバランの図。
【図４Ｂ】図４Ａに示されたバランに関連する等価電気回路図。誘導差動電流は、両方の出力分岐（１６，１９）にて同一であることに留意されたい。
【図５Ａ】不平衡のバランの側で増加した巻線数を有して、インピーダンス変換比を変更する例。
【図５Ｂ】不平衡のバランの側で増加した巻線数を有して、インピーダンス変換比を変更する例。
【図６Ａ】平衡端子と同一または反対側に、不平衡端子を接続することの柔軟性を示す例（結合した又は交差した配置）。
【図６Ｂ】直交する側に不平衡端子を接続することの柔軟性を示す例。
【図６Ｃ】斜め方向側に不平衡端子を接続することの柔軟性を示す例。
【図７】接続部とバランの巻線との間の削減された寄生容量を有する、同一のデバイスの側における不平衡端子の接続部の他の例。
【発明を実施するための形態】
【００４５】
第１の態様において、本発明は、対称な８の字形状のバラン（平衡−不平衡）部品であって、第１および第２の目を備え、各目は、巻線を形成する導電トラックを備え、前記目は等しい数の一次巻線を備え、その一次巻線において、動作中、電流が第１の目では第１の方向に、且つ、第２の目では第２の方向に流れ、その一次巻線は第１の端子から第２の端子への第１の導電経路を形成していて、前記目は、さらに、等しい数の二次巻線を備え、その二次巻線において、動作中、電流が第１の目では第１の方向に、且つ、第２の目では第２の方向に流れ、その二次巻線は第３の端子から第４の端子への第２の導電経路を形成していて、一次および二次巻線の幾何学的および電気的中間点は、全て重ねられ、且つ、さらに前記バランにおける同一面に置かれている、対称な８の字形状のバランに関する。
【００４６】
本バランは８の字形状を有しており、その８の字形状は実質的に対称である。８の字形状は、第１および第２の目（アイ（eye））を備え、各目は、１以上の巻線を形成している導電トラックを備える。導電トラックは、好ましくは、銅、アルミニウム、タングステン又はそれらの組み合わせのような金属から形成されている。トラックは、１−５０μｍ、例えば１０μｍの幅を有し得、そして、１−３０μｍ、例えば１０μｍの厚さを有し得る。本図面は、同様の相対的な寸法を有するが上述したμｍの範囲と対照的にｍｍの範囲であるＰＣＢの領域にも適用可能である、一般のバランを表すことに留意されたい。従って、本バランは、非常に広い寸法の範囲に適用可能である。
【００４７】
巻線内で、バランが動作中である時に電流は流れ得る。一次及び二次巻線は、その中の電流を識別する目的でも区別される。目の中で、電流は一次巻線内を第１の方向に、例えば時計回りに流れる一方で、それは二次巻線内を第２の方向に、例えば反時計回りに流れ、又は逆も同様である。さらに、第１の目の一次巻線の電流は、第２の目の一次巻線の電流とは異なる方向に流れ、例えば、それぞれ時計回りおよび反時計回り、又は逆も同様である。結果として、第１の目の一次巻線の電流は、第２の目の二次巻線の電流と同じ向きに流れ、且つ、第２の目の一次巻線と第１の目の二次巻線に関しても同じであり、例えば、時計回りおよび反時計回り、又は逆も同様である。
【００４８】
幾何学的な中間点（１３）は仮想点であり、それは８の字形状のバランの中心を示し、地理的中心または同等の質量と見なす質量中心に相当する。実際、それは、バランの主平面に垂直な２つ折の対称軸を備え、その主平面にトラックが位置されている。さらに、電気的な中間点（１３）は、幾何学的な中間点に一致する。電気的な中間点は、２つ折の対称軸も備える。実質的に対称なバランを形成しているトラックの特有な配置の結果、１つの端子から他の端子への電気的経路の長さは、電気的な中間点によって２つの等しい長さに分割されている。同じことは、幾何学的な中間点に適用できる。
【００４９】
目の形状は、実質的に円形、長方形、例えば正方形、六角形、八角形、または、多角形であり得るが、好ましくは実質的に円形、例えば円形である。円形の目は、上述した態様の何れかで、最良の性能を提供する。
【００５０】
さらに、８の字形状は、好ましくは、長さ（図４ａにおける左から右）が８の字形状の幅（図４ａにおける下部から上部）の０．８−３．０倍であり、好ましくは幅の１．２−２．５倍、例えば約２倍である。このような８の字形状は、実質的に円形の目を提供し、例えば、最良の磁気的性能を提供する。
【００５１】
好ましい実施形態では、本バランは一次および二次巻線を有しており、それは、一次の左および右、並びに、二次の左および右をそれぞれ対比して（上述したことを参照されたい）、それらは実質的に等しい電気抵抗および実質的に等価な容量性の寄生成分を有している。電気抵抗は、用いられる物質、例えば導電トラックのそれ、例えば用いられる金属のそれ、トラックの幅および厚さの特性である。従って、用いられる物質のこれらの特性、または、これらの特性の組み合わせ効果、しかし、好ましくは全ての個々の特性、例えばトラックの長さ、厚さなどは、結果として、実質的に等しい。本発明は、互いに５％以内の、好ましくは２％以内の、さらに好ましくは１％以内の、なお一層好ましくは０．５％以内の、例えば０．１％以内の、好ましくは、可能な限り互いに等しい、それぞれの電気抵抗を有することを意図している。互いに５％以内の、好ましくは２％以内の、さらに好ましくは１％以内の、なお一層好ましくは０．５％以内の、例えば０．１％以内の、好ましくは、可能な限り互いに等しい、容量性の寄生成分を有することも意図している。このことは、バランが十分に対称である本レイアウトで実現される。このことは対称性を保ち、そして、結果として、例えば次の利点、即ち、電気的および幾何学的な中間点の重ね合わせ、並びに、シングルエンド−差動変換又は逆も同様、挿入損失およびコモンモードノイズへの耐性の改善の、例えば集合を確かにする。
【００５２】
好ましい実施形態では、本バランは、バランの左および右巻線に関して、等しい値を有する一次および二次巻線間の磁気結合を有している。従って、一次の左及び右と、二次の左及び右と、の間の磁気結合は、それぞれ、互いの５％以内であり、好ましくは２％以内であり、さらに好ましくは１％以内であり、なお一層好ましくは０．５％以内、例えば０．１％以内であり、好ましくは、可能な限り互いに等しい。このことは、上述したように、レイアウトを最適化することにより実現される。このことは、例えば、対称性を保つことであり、そして、結果として上述した利点の集合を確かにする。さらに、それは、外側の磁気結合を削減することの効率を高めることを助ける。
【００５３】
好ましい実施形態では、本バランは、バランの本体を描くのに用いられるトップ金属層とは別の金属層（１５，１８）を用いて外部端子（１６，１９）に接続されている平衡内部端子（１７，２０）を有し、その金属層は、バランの全てのレイアウトを横切り、それにより実質的に等しい容量性負荷を、それぞれ一次および二次巻線に、且つ、それぞれ左及び右の巻線に提供する。このことは、対称性を保つことであり、そして、結果として、例えば上述した利点の集合を確かにする。
【００５４】
好ましい実施形態では、本バランは、平衡内部端子（１７，２０）にバランのレイアウトの中間軸レベルにて接続されている、別の金属層（１５，１８）との接続部を有し、それにより左及び右の巻線への等しい抵抗性の経路を示す。このことは、対称性を保つことであり、そして、結果として、例えば上述した利点の集合を確かにする。
【００５５】
好ましい実施形態では、本バランは、下方の金属層（１４）をさらに備え、平衡バランの中間点（１３）は、全てのレイアウトを横切って、外側へ向かって下方の金属層（１４）に接続されていて、それにより等しい容量性負荷を、それぞれ、一次および二次巻線に、且つ、左及び右の巻線に示す。このことは、対称性を保つことであり、そして、結果として、例えば上述した利点の集合を確かにする。
【００５６】
追加的な態様では、本発明は、本発明の対称な８の字形状のバランを備える、無線モデム、放送受信機、放送送信機、シングルエンド信号を差動に若しくは逆も同様に変換する装置、インピーダンス変換器、又は、それらの組み合わせに関する。バランは、このような装置の個別部品であり得、または、ＩＣの一部を形成し得、そのＩＣは本発明の追加的な態様であり、そのＩＣは装置に組み込まれ得る。
【００５７】
さらに追加的な態様では、本発明は、本発明の対称な８の字形状のバランを備える、ＷｉＭａｘ（登録商標）、Ｗｉｂｒｏ（登録商標）、ＴｖｏＭ、ＧＳＭ（登録商標）、ＥＤＧＥ（登録商標）、ＵＭＴＳ、ＣＤＭＡ、Ｂｌｕｅｔｏｏｔｈ（登録商標）、無線ＬＡＮ、若しくは、テレビ受信機、ＦＭ放送受信機のような受信機、のようなモバイル又はポータブルスペース用のような装置、特にＲＦ装置、ダイポールアンテナ、及び、平行線伝送線路に関する。バランは、このような装置の個別部品であり得、または、ＩＣの一部を形成し得、そのＩＣは本発明の追加的な態様であり、そのＩＣは装置に組み込まれ得る。
【００５８】
さらに追加的な態様では、本発明は、本発明の対称な８の字形状のバランを備える、通信装置、又は、差動変換用シングルエンド装置若しくは逆も同様な装置に関する。
【００５９】
本発明は、シングルエンド信号を差動に若しくは逆も同様に変換する装置、または、インピーダンス変換器若しくはマッチングネットワークの一部のようなバランまたはトランスを用いている、全ての無線モデム、並びに、放送受信機及び送信機に適用可能である。
【００６０】
従って、本発明は、モバイルおよびポータブルスペースにおける半導体産業により開発される装置、例えば、ＴＶ  ＦＥ、モバイル／ポータブル／地上波／衛星／ケーブル／モデム  ケーブル受信機、Ｂｌｕｅｔｏｏｔｈ、無線ＬＡＮ等のような接続装置、ＷｉＭａｘ／ＷｉｂｒｏのようなＲＦ製品、ＴｖｏＭのような個人用製品、ＧＳＭ、ＥＤＧＥ、ＵＭＴＳ、ＣＤＭＡ等のようなセルラー製品に、特に適用可能である。
【００６１】
本バランは、例えば、半導体産業で用いられているもの又は他の同様なプロセスのような、現在または将来利用可能な任意の標準的なプロセスを用いて製造され得る。当業者は、様々なプロセスの選択を理解し、且つ、様々なプロセスにより提供される、これらのプロセスに特有な可能性をさらに理解するであろう。
【００６２】
本発明は、本発明の範囲を制限することを意図していない次の図及び例により、さらに説明される。当業者は、様々な実施形態が組み合わせられ得ることを理解するであろう。
【００６３】
（図面の詳細な説明）
図１、ＬＮＡとミキサーとの間のバランの使用を示している受信機の経路。これは、通信目的のアンテナおよび入力マッチングネットワークをさらに備える、従来技術の構成の一般的な配置である。
【００６４】
図２、最終増幅段と出力マッチングネットワークとの間に配置されたバランを有する送信機の経路。これは、通信目的のアンテナおよび電力利得増幅器をさらに備える、従来技術の構成の一般的な配置である。
【００６５】
図３Ａ、従来技術（ＵＳ５４７７２０４）。示されているバランは、明らかに対称ではなく、そして、従って十分に平衡ではない。さらに、一次巻線の導電トラックは、相互に平衡ではなく、二次巻線も平衡ではない。
【００６６】
図３Ｂ、従来技術（図３Ａ）に関連する電気回路図。
【００６７】
図３Ｃ、図示された一次及び二次電流を含む、図３Ａに関連する電気回路図。図３Ａ−３Ｃは、より詳細に以上のことが表現されている。
【００６８】
図４Ａ、提案された発明のバランの図。参照符号は、以上に詳細に説明されている。
【００６９】
図４Ｂ、図４Ａに示されたバランに関連する等価電気回路図。誘導差動電流は、両方の出力分岐（１６，１９）にて同一であることに留意されたい。より詳細には、図４は、一次および二次ループを有するバランを表している。これらのループは、８の字形状の構造を有していて、それにより外側の磁界放射を減らし、且つ、内側の相互結合を増加する。このようなバランは、８の字形状の構造により、放射された磁界または他の発生源（ソース）に起因した干渉に対して影響を受けない。
【００７０】
バランは、左側と右側の間で等しい一次巻線を有し、これは従来技術に対して有利である。
【００７１】
バランは、左側と右側の間で等しい二次巻線を有し、これは従来技術に対して有利である。
【００７２】
一次および二次ループ（loops）の幾何学的および電気的中間点（１３）は、重ねられ、且つ、バランのレイアウトにおける同一レベルに置かれていて、これは従来技術に対して有利である。
【００７３】
一次および二次ループは、バランの左及び右側に関して、等しい電気抵抗と、容量性の等価な寄生成分と、を有していて、これは従来技術に対して有利である。
【００７４】
一次および二次ループ間の磁気結合は、バランの左及び右のループに関して、等しい値を有していて、これは従来技術に対して有利である。
【００７５】
バランの平衡内部端子（１７，２０）は、外部端子（１６，１９）に、全てのレイアウトを横切る別の金属層（１５，１８）で接続されて、それにより等しい容量性負荷を、一次／二次、左及び右のループに示す。
【００７６】
別の金属層（１５，１８）との接続部は、平衡内部端子（１７，２０）にバランのレイアウトの中間軸レベルにて接続されていて、それにより左及び右のループへの等しい抵抗性の経路を示す。
【００７７】
平衡バランの中間点（１３）は、全てのレイアウトを横切って、外側へ向かって下方の金属層（１４）に接続されていて、それにより等しい容量性負荷を、一次／二次、左及び右のループに示す。
【００７８】
バランは、シングルエンド−差動変換器又は逆も同様として用いられる、高度な差動の平衡インピーダンスを示し、これは従来技術に対して有利である。
【００７９】
バランは、シングルエンド−差動変換器又は逆も同様として用いられる、低挿入損失を特徴付け、これは従来技術に対して有利である。
【００８０】
バランが差動−シングルエンド変換器として用いられる場合、それは、高いコモンモード除去を特徴付け、これは従来技術に対して有利である。
【００８１】
図５Ａ、５Ｂ、不平衡のバランの側で増加した巻線数を有して、インピーダンス変換比を変更する例。従って、本バランは、目毎に１つの巻線、２つの巻線、３つの巻線等、および、可変の他の特性を有し得、それにより、可変のインピーダンス変換比を達成する。このような選択肢（オプション）は、通常、従来技術のバランには備えられていない。
【００８２】
図６Ａ、６Ｂおよび６Ｃ、図６Ａ：平衡端子と同一または反対側に、不平衡端子を接続することの柔軟性を示す例（結合した又は交差した配置）、図６Ｂ：直交する側に、不平衡端子を接続することの柔軟性を示す例、図６Ｃ：斜め方向側に、不平衡端子を接続することの柔軟性を示す例。この柔軟性は、不平衡端子側またはグランドに接続されるべき端子の、バランの外部接続による容量性、抵抗性および誘導性の寄生を最小化することに役立つ。それは、また、バランの方向と配置を緩和することを可能にして、それによりさらに外側の磁気結合を最小化する。
【００８３】
図７、接続部とバランの巻線との間の削減された寄生容量を有する、同一のデバイスの側における不平衡端子の接続部の他の例。端子の接続部と、バランのコアの内部巻線との間の重ね合わされた領域は、この例において、前の例と比較して少なくされている。このことは、全体的な容量性の寄生と、それによる電気的な損失と、を削減することに役立つ。
【００８４】
従って、図５−７は、図４に詳述された本バランの更なる例を示す。これらの図に関する更なる所見は、以下に示される。
【００８５】
本バランは、組み合わされた（interlaced）一次および二次ループで作られていて、それにより最大の磁束伝達および最小の挿入損失を達成する。明瞭化のために、図（４Ａ，５Ａおよび５Ｂ）において、バランの平衡ループ（１０）はクリアな線（ワイヤ）で描かれていると共に、不平衡ループ（１１）は点（ドット）付の線（ワイヤ）で描かれている。しかし、それらは、好ましくは両者共に同一の金属層に対応する。破線の線（ワイヤ）は、別の接続金属層（１４，１５および１８）に対応する。
【００８６】
シングル−差動変換器としてのバランの使用により、一次ループは好ましくは不平衡ループ（１１）に対応し且つ二次ループは好ましくは平衡ループ（１０）に対応し、又は、差動−シングル変換器としてのバランの使用により、一次ループは平衡ループ（１０）に対応し且つ二次ループは不平衡ループ（１１）に対応する。
【００８７】
バランは、好ましくは、左側と右側の間で、等しい一次巻線を有するように作られている。バランは、好ましくは、左側と右側の間で、等しい二次巻線を有するように作られている。バランは、好ましくは、一次および二次ループの幾何学的および電気的中間点（１３）が、重ねられ、且つ、同一レベルに置かれるように、作られている。バランの一次および二次ループは、好ましくは、左および右側に関して、実質的に等しい抵抗性および容量性成分を有している。また、一次および二次ループ間の磁気結合は、左および右ループに関して、実質的に等しい値を有している。
【００８８】
バランの平衡内部端子（１７，２０）は、好ましくは、外部端子（１６，１９）に、全てのレイアウトを横切る別の金属層（１５，１８）を用いて接続されて、それにより実質的に等しい容量性負荷を、一次／二次、左及び右のループに提供する。また、これらの別の金属層（１５，１８）との接続部は、平衡内部端子（１７，２０）にバランのレイアウトの中間軸レベルにて接続されていて、それにより左及び右のループへの等しい抵抗性の経路を示す。
【００８９】
バランは、８の字形状の構造に関して設計されている。図４Ａに示すように、電流は、それぞれ一次および二次ループを通って、左および右の巻線において逆方向を有していて、それにより実質的に外部の磁界放射を削減すると共に内部の相互結合を増加する。このことは、また、放射された磁界または他の発生源に起因した干渉に対するバランの耐性を増加させる。
【００９０】
本発明に開示された技術の適用は、必要に応じた任意のインピーダンス変換比を実現することに拡張され得る。それは、主に、一次または二次ループにおいて、巻線の数を増加または減少することから成るであろう。２つの例（図５Ａ及び５Ｂ）は、不平衡の巻線（それは一次または二次ループであり得、バランの用途（４）に依存する）は、前述された、実質的に同じレイアウト技術、特長及び利点に関して、インピーダンス変換比が要求されたレベルに適合するように変更されるという、この事実を説明するために与えられる。
【００９１】
図６Ａ，６Ｂ，６Ｃ及び７は、前述された、実質的に同じレイアウト技術、特長及び利点に関して、任意の側（平衡端子と同一または逆、結合した又は交差した配置、直交または対角の側）の不平衡端子を接続することの柔軟性の例を提供する。
【図１】
0005463351.tif 000002
【図２】
0005463351.tif 000003
【図３ａ】
0005463351.tif 000004
【図３ｂ】
0005463351.tif 000005
【図３ｃ】
0005463351.tif 000006
【図４ａ】
0005463351.tif 000007
【図４ｂ】
0005463351.tif 000008
【図５ａ】
0005463351.tif 000009
【図５ｂ】
0005463351.tif 000010
【図６ａ】
0005463351.tif 000011
【図６ｂ】
0005463351.tif 000012
【図６ｃ】
0005463351.tif 000013
【図７】
0005463351.tif 000014